(57)【要約】【課題】一般的な商品陳列棚の構造を殆ど変えることなく、その最下段の棚板の下方に、前後方向に移動可能なスライド棚を、容易にかつ体裁よく取付ける。【解決手段】左右の水平脚杆１の対向面に、前後方向を向くガイドレール２３を有する左右1対のスライド棚取付部材１９を、係止手段２０、２２をもって着脱可能に係止し、左右のガイドレール２３に、下面にキャスタ１８を有するスライド棚１１における後端部の左右両側部に設けたガイドローラ２５を、前後方向に転動可能に嵌合することにより、スライド棚１１を、ベース棚板１０の下方に収容しうる不使用位置と、前方の使用位置までの間を前後方向に移動しうるように設ける。【選択図】  図２
2008073471.tif 000002
【特許請求の範囲】
【請求項１】
連結杆により連結された左右１対の支柱と、両支柱の下端部に後端部が固着された前方を向く左右１対の水平脚杆と、両水平脚杆により支持されたベース棚板とを備える商品陳列棚において、
前記左右の水平脚杆の対向面に、前後方向を向く左右１対のガイドレールを着脱可能に係止し、この左右のガイドレールに、接床するキャスタを下面に有するスライド棚における後端部の左右両側部に設けた被ガイド部材を、前後方向に摺動可能に嵌合することにより、スライド棚を、前記ベース棚板の下方に収容しうる不使用位置と、ベース棚板前方の使用位置までの間を、前後方向に移動しうるように設けたことを特徴とする商品陳列棚。
【請求項２】
ガイドレールを、水平脚杆の内側面と上面に当接する垂直片及び外向水平片を有するスライド棚取付部材に固着し、このスライド棚取付部材を、前記外向水平片の前端部に設けた下向係合片と、水平脚杆の前端部上面に設けた、前記下向係合片が係合する係合孔と、前記外向水平片の後端に設けた後向係合片と、支柱の下部前面に設けた、前記後向係合片が係合する係合孔とよりなる係止手段をもって、前記水平脚杆に係止してなる請求項１記載の商品陳列棚。
【請求項３】
ガイドレールを、上面が開口する正面視上向きコ字状断面をなすものとし、かつ被ガイド部材を、垂直軸回りに回転する水平なガイドローラとしてなる請求項１または２記載の商品陳列棚。
【請求項４】
ガイドローラを、前後に離間させて複数設けた請求項３記載の商品陳列棚。
【請求項５】
水平脚杆とスライド棚とに、スライド棚を不使用位置と使用位置とに停止させうるストッパ手段を設けてなる請求項１〜４のいずれかに記載の商品陳列棚。
【請求項６】
スライド棚の上面を、水平脚杆の上面とほぼ整合させてなる請求項１〜５のいずれかに記載の商品陳列棚。
【発明の詳細な説明】
【技術分野】
【０００１】
本発明は、最下段のベース棚板の下方に、前方に引き出し可能なスライド棚を設け、必要に応じて、最下段の棚板上に陳列される商品の陳列面積を増大しうるようにした商品陳列棚に関する。
【背景技術】
【０００２】
このように、最下段の棚板上に陳列される商品の陳列面積を増大しうるようにした商品陳列棚としては、例えば特許文献１及び２に記載されているものがある。
【特許文献１】特開２００４−４９２５１号公報
【特許文献２】特開２００４−２３６９８８号公報
【発明の開示】
【発明が解決しようとする課題】
【０００３】
上記特許文献１に記載されている商品陳列棚は、スライド棚を前方に移動させることにより、最下段の棚板における商品の移動や補充を容易に行うことを主目的とするものであるが、スライド棚を前方に移動させたままで使用すれば、商品の陳列面積を増大することも可能である。
また、スライド棚は、単に最下段の棚の上面に載置され、前端下部に設けたキャスタを床面に接床させることにより、前後方向に移動させうる構造になっているため、一般的な商品陳列棚に簡単に後付けしうる利点もある。
【０００４】
しかし、スライド棚を前後方向にガイドする手段がないため、スライド棚が左右方向に位置ずれする恐れがあり、かつスライド棚は常時外部に露呈しているので、見栄えも悪いという問題がある。
【０００５】
特許文献２に記載の商品陳列棚は、最下段の棚を、前面が開口されたケース状のものとし、この中に、ストッカーを、前方に引き出し可能に収容し、かつ前方に引き出してその上面に天板を載置することにより、商品の陳列面積を増大しうるようにした特殊なものである。
そのため、商品陳列棚全体を、初めからストッカーを収容しうる構造のものに製作しなければならず、一般的な商品陳列棚に、ストッカーやスライド棚を簡単に設けることはできない。
【０００６】
本発明は、上記問題点に鑑みてなされたもので、一般的な商品陳列棚の構造を殆ど変えることなく、その最下段の棚板の下方に、前後方向に移動可能なスライド棚を、比較的容易に、かつ体裁よく取付け、必要に応じて、最下段の商品の陳列面積を増大しうるようにした商品陳列棚を提供することを目的としている。
【課題を解決するための手段】
【０００７】
本発明によると、上記課題は、次のようにして解決される。
（１）互いに連結杆により連結された左右１対の支柱と、両支柱の下端部に後端部が固着された前方を向く左右１対の水平脚杆と、両水平脚杆により支持されたベース棚板とを備える商品陳列棚において、前記左右の水平脚杆の対向面に、前後方向を向く左右１対のガイドレールを着脱可能に係止し、この左右のガイドレールに、接床するキャスタを下面に有するスライド棚における後端部の左右両側部に設けた被ガイド部材を、前後方向に摺動可能に嵌合することにより、スライド棚を、前記ベース棚板の下方に収容しうる不使用位置と、ベース棚板前方の使用位置までの間を、前後方向に移動しうるように設ける。
【０００８】
（２）上記(１)項において、ガイドレールを、水平脚杆の内側面と上面に当接する垂直片及び外向水平片を有するスライド棚取付部材に固着し、このスライド棚取付部材を、前記外向水平片の前端部に設けた下向係合片と、水平脚杆の前端部上面に設けた、前記下向係合片が係合する係合孔と、前記外向水平片の後端に設けた後向係合片と、支柱の下部前面に設けた、前記後向係合片が係合する係合孔とよりなる係止手段をもって、前記水平脚杆に係止する。
【０００９】
（３）上記(１)または(２)項において、ガイドレールを、上面が開口する正面視上向きコ字状断面をなすものとし、かつ被ガイド部材を、垂直軸回りに回転する水平なガイドローラとする。
【００１０】
（４）上記(３)項において、ガイドローラを、前後に離間させて複数設ける。
【００１１】
（５）上記(１)〜(４)項のいずれかにおいて、水平脚杆とスライド棚とに、スライド棚を不使用位置と使用位置とに停止させうるストッパ手段を設ける。
【００１２】
（６）上記(１)〜(５)項のいずれかにおいて、スライド棚の上面を、水平脚杆の上面とほぼ整合させる。
【発明の効果】
【００１３】
請求項１記載の発明によれば、スライド棚を、ベース棚前方の使用位置まで引き出すことにより、商品陳列棚の最下段の陳列面積は増大し、より多くの商品を陳列したり、展示効果等を高めたりすることができる。
また、スライド棚は、不使用時には、ベース棚板の下方に収容され、外部に露呈しないので、商品陳列棚の体裁も良い。
さらに、一般的な商品陳列棚における左右の水平脚杆に、ガイドレールを係止するだけで、スライド棚を容易に取り付けることができるので、一般的な商品陳列棚の構造を殆ど変えることなく、スライド棚を後付けしたり、不必要時に簡単に取り外したりすることができる。
【００１４】
請求項２記載の発明によれば、ガイドレールを、ねじや溶接等の取付手段を用いることなく、スライド棚取付部材を介して、容易に水平脚杆に取り付けうるとともに、スライド棚取付部材も、その外向水平片に設けた下向係合片と後向係合片とを、水平脚杆及び支柱の係合孔に係合するだけで、簡単に水平脚杆に着脱可能に係止することができる。
【００１５】
請求項３記載の発明によれば、ガイドレールに沿ってガイドローラが転動するので、スライド棚の前後移動が円滑となる。
また、ガイドローラは、垂直軸回りに回転する水平なローラであるため、ガイドレール及びガイドローラの上下寸法が小さくなり、スライド棚の上下寸法も小となるため、これを無理なくベース棚板の下方に収容することができる。
【００１６】
請求項４記載の発明によれば、前後複数のガイドローラが、スライド棚の横振れを防止するので、スライド棚は、前後方向に安定して移動することができる。
【００１７】
請求項５記載の発明によれば、スライド棚が、不使用位置又は使用位置において、妄りに前後方向に移動する恐れがなく、安全である。
【００１８】
請求項６記載の発明によれば、スライド棚の上面と水平脚杆の上面とに段差が形成されないので、例えばベース棚板を取り外して、スライド棚をベース棚板代わりとして使用する際でも、違和感なく使用することができる。
【発明を実施するための最良の形態】
【００１９】
以下、本発明の実施形態を、図面に基づいて説明する。
図１は、本発明の商品陳列棚の斜視図で、この商品陳列棚は、下端に前方を向く水平脚杆１が固着された左右1対の支柱２、２と、両支柱２における上端部同士と下端部同士を連結している上部連結杆３及び下部連結杆４と、左右の支柱２と上下の連結杆３、４間の枠状空間に嵌め込まれた背板５とを備え、水平脚杆１の前端部下面と支柱２の下端には、キャスタ６が取り付けられている。
【００２０】
左右の支柱２の前面に列設された係合孔７には、左右１対のブラケット８、８を介して、複数の棚板９が取付けられている。左右の水平脚杆１、１の上面には、ベース棚板１０が取付けられている。
以上は、一般的な商品陳列棚の構造であり、本発明の商品陳列棚は、上記ベース棚板１０の下方に、さらにスライド棚１１を、以下に詳述するように、前方に引き出し可能に設けたものである。
【００２１】
図２〜図５に示すように、スライド棚１１は、左右幅が水平脚杆１、１の対向面間の寸法より僅かに小さく、かつ前後幅を水平脚杆１の前後寸法とほぼ等寸とされた台車１２と、この台車１２の上面に載置された棚板１３とを備えている。
台車１２のフレーム１４は、正面視内向きＬ字状断面をなす左右１対の側部フレーム１５、１５と、それらの前端同士を、上端よりもやや下方において連結している左右方向を向く前部連結杆１６と、左右の側部フレーム１５の前端部と後端部の対向面同士を連結している前後１対の横連結杆１７、１７とからなり、棚板１３の下面は、左右の側部フレーム１５の上端と、前後の横連結杆１７の上面とにより支持されている。
【００２２】
前後の横連結杆１７における左右両側部の下面には、左右方向を向く軸回りに回転するキャスタ１８が、接床しうるように取付けられ、台車１２は、左右の水平脚杆１、１間の床面上を前後方向に移動しうるようになっている。なお、キャスタ１８を含む台車１２の上下寸法は、フレーム１４に載置された棚板１３の上面が、水平脚杆１の上面とほぼ整合する寸法とされている。
【００２３】
左右の水平脚杆１には、図６及び図７にも示すように(左右対称につき左方のもののみ図示する)、スライド棚取付部材１９、１９が取り付けられている。このスライド棚取付部材１９は、前後寸法が水平脚杆１のそれよりも若干短寸をなし、かつ上下寸法が水平脚杆１の上下寸法とほぼ等寸をなす垂直片１９aと、そのほぼ前半部の下端に連設された内向水平片１９bと、垂直片１９aの上端に連設された短寸の外向水平片１９cと、その側端より起立する短寸の棚板支持片１９dとを備えている。
【００２４】
棚板支持片１９dの前端には、下向係合片２０が連設され、この下向係合片２０は、水平脚杆１の前端部上面に予め形成されている、ベース棚板１０取付用の取付金具(本実施形態では使用しないため図示略)を係着するためのスリット状の係合孔２１、２１の内方のものに係合可能となっている。
また、棚板支持片１９dの後端には、後向係合片２２が連設され、この後向係合片２２は、支柱２の下部前面の係合孔７に係合されるようになっている。
【００２５】
上記内向水平片１９bの上面には、前後方向を向くとともに、上方に開口する正面視上向コ字状断面をなすガイドレール２３の下面が、溶接により固着されている。
ガイドレール２３と実質的に一体をなすスライド棚取付部材１９は、その後端の後向係合片２２を、支柱２の前面下部の係合孔７に係合するとともに、前端の下向係合片２０を、水平脚杆１の上面の内方の係合孔２１に上方より係合することにより、垂直片１９aと外向水平片１９cは、それぞれ水平脚杆１の内側面と上面に当接するようにして、水平脚杆１に着脱可能に取り付けられている。
【００２６】
ベース棚板１０は、その両側端部の下向折曲部１０aの内方を、棚板支持片１９dに上方より嵌合させて、左右の水平脚杆１の上面により支持され、左右方向に移動するのが阻止されている(図６、図７参照)。
【００２７】
左右の側部フレーム１５における下端の内向片１５aの後端部下面には、垂直軸２４回りに回転する水平な前後１対のガイドローラ２５、２５が取付けられ、両ガイドローラ２５は、上記ガイドレール２３の凹部内に、回転自在かつ前後方向に移動可能に嵌合されている。
【００２８】
スライド棚１１を、ベース棚板１０の下方に収容される位置、すなわち後限の不使用位置まで移動させると、後部のガイドローラ２５が、ガイドレール２３の後端の起立片２３aと当接し、また、スライド棚１１を前限の使用位置まで引き出すと、前部のガイドローラ２５が、ガイドレール２３の前端の起立片２３bと当接するようになっている。
【００２９】
左右のスライド棚取付部材１９における内向水平片１９bの前後の内側端には、それぞれ、前端と後端とが左右方向を向くストッパ部２６a、２６aとされた平面視概ね直角三角形をなすストッパ片２６、２６が、前後対称的に、かつガイドレール２３よりも内方に突出するようにして連設されている。
【００３０】
前後の横連結杆１７、１７の両側端部下面に固着された支持部材２７、２７には、上記ストッパ片２６の上方において前後方向を向くとともに、前後両端に下向きの折曲杆２８a、２８aを有する左右１対の丸棒状のストッパ杆２８、２８が、回動自在に支持されている。なお、上記両折曲片２８a間の寸法は、前後のストッパ片２６におけるストッパ部２６a間の寸法より僅かに大とされ、図４に示すように、スライド棚１１が後限の不使用位置にあるとき、両折曲片２８aが、前後のストッパ片２６のストッパ部２６aと近接するようにしてある。
【００３１】
従って、スライド棚１１を前方に引き出そうとすると、後部の折曲杆２８aが、後部のストッパ片２６のストッパ部２６aと当接するようになるので、スライド棚１１は、不使用位置に停止され、妄りに前方に移動することはない。
スライド棚１１を前方に引き出すには、図６に示すように、ストッパ杆２８の前部の折曲杆２８aを、手で内側上方に回動させればよい。
【００３２】
すると、後部の折曲片２８aが後部のストッパ片２６のストッパ部２６aの上方に離間することにより、スライド棚１１は、前方に引き出し可能となり、前限まで移動したとき、折曲杆２８aから手を離してこれを下向きに回動させると、後部の折曲片２８aが、前部のストッパ片２６の前方に位置して、そのストッパ部２６aと当接可能となるので、スライド棚１１は、後方へ移動するのが防止され、使用位置に停止させられる(図３参照)。
【００３３】
次に、スライド棚１１の取付け手順について説明する。
ベース棚板１０を取り外した状態で、まず左右１対のスライド棚取付部材１９を、その前端の下向係合片２０を水平脚杆１の前端部上面の係合孔２１に、かつ後端の後向係合片２２を支柱２の係合孔７にそれぞれ係合することにより、左右の水平脚杆１に取付ける。
【００３４】
ついで、台車１２を左右の水平脚杆１、１間に挟入し、左右の後端部に設けた前後２個ずつのガイドローラ２５を、左右のスライド棚取付部材１９に設けたガイドレール２３に上方より嵌合する。これにより、台車１２は、左右の水平脚杆１、１間において、左右のガイドレール２３により案内されて、前後方向に安定して移動することができる。
最後に、台車１２に棚板１３を載置するとともに、左右の水平脚杆１の上面にベース棚板１０を載置すれば、スライド棚１１の取付けは完了する。
【００３５】
以上説明したように、上記実施形態の商品陳列棚においては、スライド棚１１を前方の使用位置まで引き出すことにより、商品陳列棚の最下段の棚板に陳列される商品の陳列面積は増大し、より多くの商品を陳列したり、展示効果等を高めたりすることができる。
また、スライド棚１１は、不使用時には、ベース棚板１０の下方に収容され、外部に露呈しないので、商品陳列棚の体裁もよい。
【００３６】
さらに、一般的な商品陳列棚の左右の水平脚杆１に、単にガイドレール２３が固着されたスライド棚取付部材１９を取付けるだけで、スライド棚１１を容易に取り付けることができ、しかも、スライド棚取付部材１９は、水平脚杆１と支柱２に予め設けられている係合孔２１及び７を利用して取り付けられ、ねじや溶接等の固定手段を用いていないので、一般的な商品陳列棚の構造を変えたり、加工を施したりすることなく、スライド棚１１を簡単に後付けしうるとともに、不使用時には取外すこともできる。
【００３７】
ベース棚板１０を取外し、スライド棚１１を、ベース棚板代わりとして使用することもでき、このようにすれば、商品の移動や補充を容易に行うことができる。
この際、スライド棚１１の棚板１３の上面は、水平脚杆１の上面とほぼ同一面とされているので、違和感なく使用することができる。
【００３８】
なお、上記実施形態では、スライド棚取付部材１９は、上向きの棚板支持片１９dを有するものとしたが、この棚板支持片１９dを省略し、ベース棚板１０を、水平脚杆１の係合孔２１に係着した通常の取付金具により支持してもよい。この際には、下向係合片２０と後向係合片２２とを、スライド棚取付部材１９の外向水平片１９cに設ければよい。
【００３９】
また、上記実施形態では、ガイドレール２３に、垂直軸２４回りに回転するガイドローラ２５を嵌合しているが、このガイドローラ２５の代わりに、摺動抵抗の小さな合成樹脂等の上下方向を向く被ガイド部材を用いてもよい。
【図面の簡単な説明】
【００４０】
【図１】本発明の商品陳列棚の斜視図である。
【図２】同じく、スライド棚を前方に引き出したときの一部切欠き平面図である。
【図３】同じく、スライド棚を前方に引き出したときの要部の斜視図である。
【図４】同じく、スライド棚不使用時における左側部の拡大平面図である。
【図５】図４のV-V線縦断側面図である。
【図６】同じくVI-VI線縦断側面図である。
【図７】同じくVII-VII線縦断側面図である。
【符号の説明】
【００４１】
１    水平脚杆
２    支柱
３    上部連結杆
４    下部連結杆
５    背板
６    キャスタ
７    係合孔
８    ブラケット
９    棚板
１０  ベース棚板
１１  スライド棚
１２  台車
１３  棚板
１４  フレーム
１５  側部フレーム
１５a 内向片
１６  前部連結杆
１７  横連結杆
１８  キャスタ
１９  スライド棚取付部材
１９a 垂直片
１９b 内向水平片
１９c 外向水平片
１９d 棚板支持片
２０  下向係合片
２１  係合孔
２２  後向係合片
２３  ガイドレール
２３a 起立片
２３b 起立片
２４  垂直軸
２５  ガイドローラ
２６  ストッパ片
２６a ストッパ部
２７  支持部材
２８  ストッパ杆
２８a 折曲杆
【図１】
2008073471.tif 000003
【図２】
2008073471.tif 000004
【図３】
2008073471.tif 000005
【図４】
2008073471.tif 000006
【図５】
2008073471.tif 000007
【図６】
2008073471.tif 000008
【図７】
2008073471.tif 000009